(57)【特許請求の範囲】
【請求項１】
複数の穴が形成され柔軟性を有する隔離保持膜と、
前記隔離保持膜上に所定の厚さに形成された第１生育土層と、
前記第１生育土層に地下茎を形成するまで伸長した第１天然植物と、
前記第１生育土層上に設置され、複数の開口部を有するとともに柔軟性を有するシート部に人工葉が形成された人工植物とを有し、
前記隔離保持膜の前記穴は、前記第１天然植物の根部の毛根が貫通可能な大きさを有し、
前記人工植物の前記開口部は、前記第１天然植物の地下茎から伸長した茎が貫通可能な大きさを有し、
前記第１天然植物は、前記根部の前記毛根が前記隔離保持膜の前記穴から下方側に貫通するとともに、前記茎が前記人工植物の前記シート部の前記開口部から上方側に貫通するとともに前記茎に葉が生育され、
前記第１天然植物は、地被植物であり、前記人工植物の前記シート部上を前記第１天然植物の前記茎が被い、
前記人工植物の前記シート部上にあらかじめ設定された厚さに形成された砂を主成分とする第２生育土層を備え、
前記人工植物の前記シート部は、合成ゴム材にて形成され、
前記人工植物の前記シート部の前記開口部は、開口寸法範囲が４ｍｍから１２ｍｍで、かつ、前記開口部の開口面積の和が前記シート部の全体の表面積の１０％から１５％であり、
前記隔離保持膜により前記第１生育土層、前記第１天然植物、前記第２生育土層、および前記人工植物を剥離可能な範囲で一体に保持する緑化保持体。
【請求項２】
前記地被植物は、ティフトン４１９芝またはイワダレソウまたはタイムの少なくともいずれかにて形成された請求項１に記載の緑化保持体。
【請求項３】
前記第２生育土層には前記第１天然植物の休眠期に生育する第２天然植物を生育するための複数の種子が播種された請求項１または請求項２に記載の緑化保持体。
【請求項４】
前記第２天然植物の種子は、ライグラスの種子である請求項３に記載の緑化保持体。
【請求項５】
前記人工植物の前記シート部の前記開口部は、開口寸法が１０ｍｍで、かつ、縦横が２０ｍｍ間隔および３０ｍｍ間隔にて形成される請求項１から請求項４のいずれか１項に記載の緑化保持体。
【請求項６】
前記隔離保持膜の前記穴は、開口寸法範囲が０．１ｍｍから１ｍｍで、かつ、前記穴の開口面積の和が前記隔離保持膜の全体の表面積の０．０１％から０．１％である請求項１から請求項５のいずれか１項に記載の緑化保持体。
【発明の詳細な説明】
【技術分野】
【０００１】
本願は、緑化保持体に関するものである。
【背景技術】
【０００２】
従来、人工芝と天然芝とを混在したものが存在する。例えば、人工芝の上に充填層を配置し、当該充填層に天然芝を育成するものがある（例えば、特許文献１参照）。
【先行技術文献】
【特許文献】
【０００３】
【特許文献１】特許第６１８６０３０号公報
【発明の概要】
【発明が解決しようとする課題】
【０００４】
従来は、人工芝の上から天然芝を育成するため、天然芝が枯れやすく、修復に手間と費用とがかかるという問題点があった。
【０００５】
本願は、上記のような課題を解決するための技術を開示するものであり、手間が削減でき、かつ、費用が削減できる人工植物および天然植物を有する緑化保持体を提供することを目的とする。
【課題を解決するための手段】
【０００６】
本願に開示される緑化保持体は、
複数の穴が形成され柔軟性を有する隔離保持膜と、
前記隔離保持膜上に所定の厚さに形成された第１生育土層と、
前記第１生育土層に地下茎を形成するまで伸長した第１天然植物と、
前記第１生育土層上に設置され、複数の開口部を有するとともに柔軟性を有するシート部に人工葉が形成された人工植物とを有し、
前記隔離保持膜の前記穴は、前記第１天然植物の根部の毛根が貫通可能な大きさを有し、
前記人工植物の前記開口部は、前記第１天然植物の地下茎から伸長した茎が貫通可能な大きさを有し、
前記第１天然植物は、前記根部の前記毛根が前記隔離保持膜の前記穴から下方側に貫通するとともに、前記茎が前記人工植物の前記シート部の前記開口部から上方側に貫通するとともに前記茎に葉が生育され、
前記第１天然植物は、地被植物であり、前記人工植物の前記シート部上を前記第１天然植物の前記茎が被い、
前記人工植物の前記シート部上にあらかじめ設定された厚さに形成された砂を主成分とする第２生育土層を備え、
前記人工植物の前記シート部は、合成ゴム材にて形成され、
前記人工植物の前記シート部の前記開口部は、開口寸法範囲が４ｍｍから１２ｍｍで、かつ、前記開口部の開口面積の和が前記シート部の全体の表面積の１０％から１５％であり、
前記隔離保持膜により前記第１生育土層、前記第１天然植物、前記第２生育土層、および前記人工植物を剥離可能な範囲で一体に保持するものである。
【発明の効果】
【０００７】
本願に開示される緑化保持体によれば、手間が削減でき、かつ、費用が削減できる。
【図面の簡単な説明】
【０００８】
【図１】実施の形態１による緑化保持体の構成を示す断面図である。
【図２】図１に緑化保持体の生産方法を示す断面図である。
【図３】図１に緑化保持体の生産方法を示す断面図である。
【図４】図１に緑化保持体の生産方法を示す断面図である。
【図５】図１に示した緑化保持体の隔離保持膜の構成を示す平面図である。
【図６】図１に示した緑化保持体の人工植物のシート部の開口部を示す平面図である。
【図７】図１に示した緑化保持体の運搬方法を示す斜視図である。
【図８】図１に緑化保持体の施工方法を示す断面図である。
【図９】図８に緑化保持体の状態を示す断面図である。
【図１０】実施の形態２による緑化保持体の構成を示す断面図である。
【発明を実施するための形態】
【０００９】
実施の形態１．
図１は実施の形態１による緑化保持体の構成を示す断面図である。図２から図４は図１に示した緑化保持体の生産方法を示す断面図である。図５は図１に示した緑化保持体の隔離保持膜の構成を示す平面図である。図６は図１に示した緑化保持体の人工植物のシート部の開口部を示す平面図である。尚、図６において、人工植物の人工葉は省略して示している。また、図５および図６は各部分の構成が明確となるために拡大して示したものである。図７は図１に示した緑化保持体の運搬方法を示す斜視図である。図８は図１に示した緑化保持体の施工方法を示す断面図である。図９は図８に示した緑化保持体の状態を示す断面図である。
【００１０】
図１において、緑化保持体１は、隔離保持膜２と、第１生育土層３と、第１天然植物４と、人工植物５と、第２生育土層６とを備える。まず、緑化保持体１に使用する第１天然植物４の特性について説明する。第１天然植物４は、地中で地下茎４２を形成し、当該地下茎４２から根部４０が伸び、根部４０にはさらに細い毛根４１が形成される。さらに、第１天然植物４は、地下茎４２から茎４３（尚、当該茎４３は、一般的にランナーと称呼される場合もある。）が地表に伸長し、茎４３には葉４４が生育される。また、第１天然植物４の茎４３は、地表を匍匐し蔓延して生育する。
【００１１】
そして、当該第１天然植物４は、気温が低くなると茎４３の一部および葉４４が枯れる休眠期を有する。しかしながら、第１天然植物４は、当該休眠期中においても、地中では地下茎４２が残り、地表では茎４３の一部が地表を被った状態で残る。そして、第１天然植物４は、気温が上昇すると地下茎４２から再び茎４３および葉４４が生育し、また、地表に残った一部の茎４３から葉４４が生育する。
【００１２】
当該第１天然植物４は、上記に示したような性質を有するものが適切であり、地被植物が適切である。さらに、適切なものとしては、例えば、生育が早く、耐候性に優れ、人などによる踏圧での摺り切れに対して耐久性および蘇生力に優れている、地被植物の、ティフトン４１９芝またはイワダレソウまたはタイムの少なくともいずれかが用いられる。当然のことながら全てまたは選択した２種類を用いることも考えられる。尚、各図においては、ティフトン４１９芝のみの例にて示しているが、生育状態はいずれであっても同様に行うことができる。
【００１３】
図５に示すように、隔離保持膜２は、複数の穴２１が形成される。隔離保持膜２の穴２１は、第１天然植物４の根部４０の毛根４１が貫通可能な大きさを有する。隔離保持膜２は、柔軟性を有し、例えば、厚さＨ１が０．０１ｍｍ程度のビニル樹脂シートにて形成される。また、隔離保持膜２の穴２１は、直径Ｒ１の寸法範囲が０．１ｍｍから１ｍｍにて形成される。また、隔離保持膜２の全体の表面積に対する、穴２１の開口面積の和は０．０１％から０．１％程度である。
【００１４】
隔離保持膜２の穴２１の直径Ｒ１の寸法は、毛根４１が貫通可能で生育可能な大きさとして、０．５ｍｍ程度が必要であると考えられる。さらに、穴２１から毛根４１が生育した後に、隔離保持膜２の穴２１から第１生育土層３がこぼれ落ちなく、かつ、隔離保持膜２の耐久性が確保できる大きさ１ｍｍ程度までが可能であると考えられる。
【００１５】
また、隔離保持膜２の穴２１の開口面積の和は、隔離保持膜２の全体の表面積に対して、第１天然植物４の毛根４１が十分生育できる程度の０．０１％以上は必要であると考えられる。さらに、隔離保持膜２の耐久性が確保するため、穴２１の割合を０．１％程度にとどめておく必要があると考えられる。
【００１６】
第１生育土層３は、隔離保持膜２上に、所定の厚さＨ２が例えば２０ｍｍから２５ｍｍに形成された層である。第１生育土層３は、例えば、黒土と砂とを、体積比で、８：２にて形成する、または、砂１００％にて形成することが考えられる。第１生育土層３には第１天然植物４の地下茎４２を形成するまで伸長される。
【００１７】
第１生育土層３の厚さＨ２は、第１天然植物４を生育するために２０ｍｍ程度が必要であると考えられる。また、本願緑化保持体１は、施工時に移動するので、第１生育土層３の厚さＨ２があまり大きいと、過荷重となり運搬に支障が生じる。さらに、第１生育土層３の厚さＨ２があまり大きいと、施工を行う箇所において、周りの部分との段差が生じ不都合が生じる。これらの要因により、第１生育土層３の厚さＨ２は２５ｍｍ程度までが可能であると考えられる。
【００１８】
人工植物５は、第１生育土層３上に設置され、複数の開口部５１を有するとともに柔軟性を有するシート部５０に人工葉５２が形成されたものである。人工植物５としては、一般的に、人工芝と称されるものを使用することが考えられる。人工植物５のシート部５０は、屋外に設置され、過酷な環境に対応可能で、耐久性に優れている、例えば、合成ゴム材、具体的にはスチレンブタジエンゴム（ｓｔｙｒｅｎｅ−ｂｕｔａｄｉｅｎｅ  ｒｕｂｂｅｒ）にて形成され、厚さＨ３は５ｍｍ程度を有する。人工植物５のシート部５０の厚さＨ３は、後述するシート部５０の開口部５１の形成が可能な程度、かつ、後述する緑化保持体１の運搬に適用できる程度が必要となる。
【００１９】
図６に示すように、人工植物５のシート部５０の開口部５１は、第１天然植物４の地下茎４２から伸長した茎４３が貫通可能な大きさを有する。開口部５１は、直径Ｒ２の寸法範囲が４ｍｍから１２ｍｍであり、かつ、開口部５１の開口面積の和が、シート部５０の全体の表面積の１０％から１５％である。
【００２０】
人工植物５のシート部５０の開口部５１の直径Ｒ２の寸法は、第１天然植物４の茎４３が貫通可能で生育可能な大きさ４ｍｍ程度が必要であると考えられる。さらに、開口部５１から茎４３が生育した後に、人工植物５のシート部５０の開口部５１から第１生育土層３がこぼれ落ちない大きさ１２ｍｍ程度までが可能であると考えられる。
【００２１】
さらに最適には、図６に示すように、開口部５１は、直径Ｒ１の寸法が１０ｍｍで、かつ、縦の間隔Ｗ１が２０ｍｍおよび横の間隔Ｗ２が３０ｍｍにて千鳥状に形成される。これは、出願人が当該緑化保持体１を開発するにあたり、先の範囲にて様々な条件による実験を行った結果から設定されたものである。そして、人工植物５のシート部５０の開口部５１を貫通して生育した第１天然植物４の茎４３は、人工植物５のシート部５０上を匍匐し蔓延し、シート部５０上を被うように生育する。
【００２２】
人工植物５の人工葉５２は、長さＨ５が、例えば、２０ｍｍから３５ｍｍを有する。人工葉５２は、例えば、ポリプロピレン、または、ナイロンにて形成され、シート部５０に糸止め（図示省略）し固定して形成される。人工植物５の人工葉５２の長さＨ５は、第１天然植物４の茎４３および葉４４と混在した際に、第１天然植物４の生育を邪魔しない程度の長さが設定される。また、後述する第２天然植物においても同様のことがいえる。
【００２３】
第２生育土層６は、人工植物５のシート部５０上であって所定の厚さＨ４、例えば５ｍｍにて形成された層である。第２生育土層６は、例えば、砂を主成分とする層である。第２生育土層６の厚さＨ４は、第１天然植物４を生育するために、必要な水分を保持できる５ｍｍ程度である。また、第１天然植物４の茎４３が人工植物５のシート部５０上を匍匐し蔓延して生育するために必要な厚さである。さらに、後述する第２天然植物の生育が可能となる厚さである。さらに、第１生育土層３と同様に、第２生育土層６の厚さＨ４があまり大きいと、過荷重となり運搬に支障が生じる。
【００２４】
そして、第１天然植物４は、根部４０の毛根４１が隔離保持膜２の穴２１から下方側に貫通する。また、第１天然植物４は、茎４３が人工植物５のシート部５０の開口部５１から地上側に貫通するとともに茎４３に葉４４が生育する。そして。第１天然植物４の茎４３は人工植物５のシート部５０上を匍匐し蔓延して生育する。緑化保持体１は、隔離保持膜２により第１生育土層３、第１天然植物４、人工植物５および第２生育土層６を剥離可能な範囲で一体に保持する。
【００２５】
次に上記のように構成された実施の形態１の緑化保持体１の生産方法について説明する。図２に示すように、緑化保持体１は、一般的に、天然植物を育てる屋外の土壌１０上にて生産される。まず、第１天然植物４を育てるための土壌１０上に、隔離保持膜２を設置する。次に、隔離保持膜２上に第１生育土層３を厚さＨ２が２０ｍｍから２５ｍｍ程度となるように形成する。次に、第１生育土層３に第１天然植物４の苗４００を植え付ける。
【００２６】
次に、第１生育土層３にて第１天然植物４の苗４００に水、肥料などを与えて、例えば２０日から３０日程度生育する。この際、第１天然植物４の苗４００は、第１天然植物４の地下茎４２が第１生育土層３中に成長する。そして、第１天然植物４の地下茎４２から下方側には、根部４０が伸び、その根部４０から伸びた毛根４１が隔離保持膜２の穴２１から下方に伸び、隔離保持膜２の下面側に絡みつくようにして伸びていく。また、第１天然植物４の地下茎４２から上方側には、茎４３が伸び、茎４３からは葉４４は伸びるので、常にある程度の長さに刈り込みを行う（図３）。
【００２７】
次に、図４に示すように、第１生育土層３上に人工植物５、および、人工植物５上に第２生育土層６を厚さＨ３が５ｍｍ程度となるように設置する。次に、第１天然植物４の茎４３が、人工植物５のシート部５０の開口部５１から貫通する程度までに成長させるために、水、肥料などを与えて、例えば１５日から２０日程度生育して、図１に示す緑化保持体１を生産する。
【００２８】
人工植物５を設置した際、第１生育土層３上に生育した第１天然植物４の若干伸びた茎４３および葉４４は人工植物５のシート部５０により下になるが、シート部５０には開口部５１が形成されているため、第１天然植物４の茎４３は人工植物５の開口部５１から上方側に貫通して生育する。さらに、第１天然植物４の茎４３は、人工植物５のシート部５０上を匍匐し蔓延して生育する。そして、第１天然植物４の茎４３からは葉４４が生育する。
【００２９】
次に、このように生産された緑化保持体１の施工方法について説明する。緑化保持体１を土壌１０から取り外して、土壌１０以外の施工地１００、例えば、学校の校庭、スポーツ施設のグラウンド、公園などに運搬して施工する。隔離保持膜２には第１天然植物４の根部４０の毛根４１が絡みついており、人工植物５の開口部５１からは第１天然植物４の茎４３および葉４４が貫通して地上に十分生育している。また、第１天然植物４の茎４３は、人工植物５のシート部５０上を匍匐し蔓延して生育している。
【００３０】
このため、隔離保持膜２上に存在する、第１生育土層３、第１天然植物４、人工植物５、および第２生育土層６は一体化されている。よって、緑化保持体１は隔離保持膜２により土壌１０から容易に分離して剥がすことができる。このため、運搬する際には、図７に示すように、緑化保持体１を土壌１０から剥がしてロール状に巻いて運搬する。
【００３１】
そして、運搬後に、ロール状から、平らに戻して施工地１００に広げる。この際、第１天然植物４の毛根４１を第１生育土層３になるべく残すように注意するとともに、隔離保持膜２を取り除きながら、施工地１００に設置する。そして、水、肥料を与えて、第１天然植物４を生育させる。この際、第１天然植物４の茎４３は、人工植物５のシート部５０上にさらに匍匐し蔓延して成長する。このようにすれば、施工地１００に簡便に、第１天然植物４および人工植物５を設置することができる。また、第１生育土層３上には人工植物５のシート部５０が存在するため、水の蒸発を防止でき、水やりの頻度および水やりの量を削減できる。
【００３２】
一般的に人工植物のみでは、日中気温が上昇すると、人工植物は焼けて５０℃から７０℃の高温となり、その上を歩いたり、運動したりすることが困難になる。しかしながら、本願は第１天然植物４と人工植物５とが混在しているため、気温が上昇しても、高温になることが防止でき、緑化保持体１の上を歩いたり、運動したりするのに適するようになる。また、人工植物５があるため、第１天然植物４のみの場合と比較すると、人などにより踏まれても人工植物５が第１天然植物４を保護するため耐久性が優れる。
【００３３】
また、人などにより踏まれ第１天然植物４の茎４３および葉４４が踏圧により摺り切れ摩耗しても、人工植物５が存在するため、人工植物５の緑があり土壌が剥き出しになるということは回避できる。また、第１天然植物４の茎４３および葉４４が摩耗して無くなった場合であっても、第１天然植物４の地下茎４２は人工植物５のシート部５０により保護されているため、再び、地下茎４２から茎４３および葉４４が成長する。また、人工植物５が存在するため、気温の低下による影響が低減し、第１天然植物４の気温に対する耐候性も向上する。
【００３４】
さらに、気温が低くなると第１天然植物４は、第１生育土層３に成長している地下茎４２を残して地上側の茎４３の一部および葉４４が枯れる休眠期を向かえる。したがって、その前に、第２生育土層６に第１天然植物４の休眠期に生育する第２天然植物７の種子７０を播種する（図８）。例えば、種子７０はライグラスが用いられる。尚、緑化保持体１を施工地１００に設置した後、第２天然植物７の種子７０を播種する前に、第２生育土層６が薄くなっている場合には、適宜補充する。その結果、気温が低くなって、第１天然植物４の茎４３の一部および葉４４が枯れても、それに変わって、第２天然植物７が成長する（図９）。
【００３５】
図９に示すように、第１天然植物４が休眠期となった場合でも、第１天然植物４の茎４３の一部は、人工植物５の開口部５１から上方側に貫通した部分が、人工植物５のシート部５０上に匍匐し蔓延した状態で残る。当該人工植物５のシート部５０上に残った第１天然植物４の茎４３は保水性および温度の上昇を抑制する機能を有することとなる。よって、第２天然植物７の生育において、人工植物５による温度上昇を、人工植物５のシート部５０上に残った第１天然植物４の茎４３が緩和するため、高温障害に落ちることなく正常な生育が可能となる。これは、発明者が、第１天然植物が無い状態の人工植物のみにおいて、当該人工植物上に第２天然植物の種子を播種しても、発芽はするものの、高温障害により第２天然植物が枯れるという育成の失敗から、当該発明の緑化保持体１００の仕様により、第２天然植物の種子を播種し、正常に育成することが可能となったことをつきとめたものである。
【００３６】
このように、第１天然植物４と同様に、第２天然植物７と人工植物５とが混在するので、第２天然植物７のみの場合と比較すると、人などによる踏圧での摺り切れに対して耐久性および蘇生力がさらに優れる。そして、図９に示す第１天然植物４の休眠期においても、第１生育土層３上に人工植物５が存在するので、第１天然植物４の地下茎４２が過度な気温の低下にさらされるのを防止できる。
【００３７】
そして、再び気温が上昇してくると第２天然植物７は枯れ、第１生育土層３に休眠中の第１天然植物４の地下茎４２から、第１天然植物４の茎４３および葉４４が、人工植物５のシート部５０の開口部５１から再び生育し、さらに、人工植物５のシート部５０上に残存する第１天然植物４の茎４３から葉４４が生育して図８に示したような状態（種子７０の存在しない）になる。これにより、１年中緑を確保でき、常緑使用となる。さらに、時期が来れば再び第２天然植物７の種子７０を播種するという作業を繰り返すことにより、何年にもわたって緑を確保できる。
【００３８】
尚、緑化保持体１の生育方法および施工方法は一例であり、他の方法であっても同様に構成でき、同様に施工できれば同様の効果を奏することができる。
【００３９】
前記のように構成された実施の形態１の緑化保持体によれば、
複数の穴が形成され柔軟性を有する隔離保持膜と、
前記隔離保持膜上に所定の厚さに形成された第１生育土層と、
前記第１生育土層に地下茎を形成するまで伸長した第１天然植物と、
前記第１生育土層上に設置され、複数の開口部を有するとともに柔軟性を有するシート部に人工葉が形成された人工植物とを有し、
前記隔離保持膜の前記穴は、前記第１天然植物の根部の毛根が貫通可能な大きさを有し、
前記人工植物の前記開口部は、前記第１天然植物の地下茎から伸長した茎が貫通可能な大きさを有し、
前記第１天然植物は、前記根部の前記毛根が前記隔離保持膜の前記穴から下方側に貫通するとともに、前記茎が前記人工植物の前記シート部の前記開口部から上方側に貫通するとともに前記茎に葉が生育され、
前記隔離保持膜により前記第１生育土層、前記第１天然植物、および前記人工植物を剥離可能な範囲で一体に保持するので、
手間が削減でき、かつ、費用が削減できる人工植物および天然植物を有する緑化保持体を得ることができる。
【００４０】
また、前記第１天然植物は、地被植物であり、前記人工植物の前記シート部上を前記第１天然植物の前記茎が被うので、
確実に手間が削減でき、かつ、確実に費用が削減できる人工植物および天然植物を有する緑化保持体を得ることができる。
【００４１】
また、前記地被植物は、ティフトン４１９芝またはイワダレソウまたはタイムの少なくともいずれかにて形成されたので、
生育および管理が簡便で、施工後における手間がさらに削減できる。
【００４２】
また、前記人工植物の前記シート部上にあらかじめ設定された厚さに形成された砂を主成分とする第２生育土層を備えたので、
第２生育土層において水分の保持が可能となり、第１天然植物の生育が確実にできる。
【００４３】
また、前記人工植物の前記シート部は、合成ゴム材にて形成されたので、
人工植物の耐久性が向上するとともに、人工植物の開口部の形成が容易にできる。
【００４４】
また、前記人工植物の前記シート部の前記開口部は、開口寸法範囲が４ｍｍから１２ｍｍで、かつ、前記開口部の開口面積の和が前記シート部の全体の表面積の１０％から１５％であるので、
第１天然植物の地下茎からの茎が容易に開口部から貫通できるとともに、第１天然植物を容易に生育可能となる。
【００４５】
また、前記人工植物の前記シート部の前記開口部は、開口寸法が１０ｍｍで、かつ、縦横が２０ｍｍ間隔および３０ｍｍ間隔にて形成されるので、
第１天然植物の地下茎からの茎が確実に効率よく開口部から貫通できるとともに、第１天然植物を確実に生育可能となる。
【００４６】
また、前記隔離保持膜の前記穴は、開口寸法範囲が０．１ｍｍから１ｍｍで、かつ、前記穴の開口面積の和が前記隔離保持膜の全体の表面積の０．０１％から０．１％であるので、
第１天然植物の地下茎からの根部の毛根が容易に穴から貫通できるとともに、毛根が隔離保持膜の裏面側に確実に絡みつき保持できる。
【００４７】
実施の形態２．
前記実施の形態１においては、緑化保持体１を施工した後に、第２生育土層６に第２天然植物７の種子７０を播種する例を示したが、これに限られることはなく、本実施の形態２においては、図１０に示すように、第２生育土層６にあらかじめ第２天然植物７を生育するための複数の種子７０が播種された緑化保持体１を形成する。
【００４８】
このように形成すれば、緑化保持体１を前記実施の形態１と同様に施工することができ、施工後に、第２天然植物７の種子７０を播種する手間が削減できる。
【００４９】
前記のように構成された実施の形態２の緑化保持体によれば、前記実施の形態１と同様の効果を奏するとともに、
前記第２生育土層には前記第１天然植物の休眠期に生育する第２天然植物を生育するための複数の種子が播種されたので、
施工後に第２天然植物の種子の播種が不要となり、手間が削減できる。
【００５０】
また、前記第２天然植物の種子は、ライグラスの種子であるので、
第１天然植物の休眠期に、人工植物と共存して生育できる。
【００５１】
本開示は、様々な例示的な実施の形態および実施例が記載されているが、１つ、または複数の実施の形態に記載された様々な特徴、態様、および機能は特定の実施の形態の適用に限られるのではなく、単独で、または様々な組み合わせで実施の形態に適用可能である。
したがって、例示されていない無数の変形例が、本願明細書に開示される技術の範囲内において想定される。例えば、少なくとも１つの構成要素を変形する場合、追加する場合または省略する場合、さらに、少なくとも１つの構成要素を抽出し、他の実施の形態の構成要素と組み合わせる場合が含まれるものとする。
【符号の説明】
【００５２】
１  緑化保持体、２  隔離保持膜、２１  穴、３  第１生育土層、４  第１天然植物、
４０  根部、４００  苗、４１  毛根、４２  地下茎、４３  茎、４４  葉、
５  人工植物、５０  シート部、５１  開口部、５２  人工葉、６  第２生育土層、
７  第２天然植物、７０  種子、Ｒ１  直径、Ｒ２  直径、Ｈ１  厚さ、Ｈ２  厚さ、
Ｈ３  厚さ、Ｈ４  厚さ、Ｈ５  長さ、Ｗ１  間隔、Ｗ２  間隔。
【要約】
【課題】手間が削減でき、かつ、費用が削減できる人工植物および天然植物を有する緑化保持体を提供する。
【解決手段】柔軟性を有する隔離保持膜２と、第１生育土層３に地下茎４２を形成するまで伸長した第１天然植物４と、複数の開口部５１を有し柔軟性を有するシート部５０に人工葉５１が形成された人工植物５とを備え、隔離保持膜２の穴２１は、第１天然植物４の根部４０の毛根４１が貫通可能な大きさを有し、人工植物５の開口部５１は、第１天然植物４の地下茎４２から伸長した茎４３が貫通可能な大きさを有し、第１天然植物４は、根部４０の毛根４１が隔離保持膜２の穴２１から下方側に貫通するとともに、茎４３が人工植物５のシート部５０の開口部５１から上方側に貫通するとともに茎４３に葉４４が生育され、隔離保持膜２により第１生育土層３、第１天然植物４、および人工植物５を剥離可能な範囲で一体に保持する。
【選択図】図１【図１】
0006868917.tif 000002
【図２】
0006868917.tif 000003
【図３】
0006868917.tif 000004
【図４】
0006868917.tif 000005
【図５】
0006868917.tif 000006
【図６】
0006868917.tif 000007
【図７】
0006868917.tif 000008
【図８】
0006868917.tif 000009
【図９】
0006868917.tif 000010
【図１０】
0006868917.tif 000011